【手続補正書】
【提出日】令和2年9月25日(2020.9.25)
【手続補正１】
【補正対象書類名】明細書
【補正対象項目名】０２８２
【補正方法】変更
【補正の内容】
【０２８２】
様々な例について説明した。上記その他の例は、以下の特許請求の範囲の範囲内である。  なお、以上の各実施例に加えて以下の態様について付記する。
（付記１）
物理的表面を含む基板と、
前記物理的表面上で実施される多次元機械可読コードと、を備え、前記多次元機械可読光コードが、静的データ（ＳＤ）光学要素セット及び動的ルックアップデータ（ＤＬＤ）光学要素セットを含み、各セットが前記物理的表面上で実施され、前記ＤＬＤ光学要素セットが、動的に可変のデータを参照するルックアップ値を符号化し、前記ＳＤ光学要素セットが、他のデータを参照しない静的データを符号化し、前記ＤＬＤ光学要素セットが、閾値距離より大きい距離において復号可能でない、物品。
（付記２）
前記距離閾値は、区別可能性閾値を上回ると、画像捕捉デバイスによって捕捉される画像の分解能が、互いに視覚的に異なる前記ＤＬＤ光学要素セットの光学要素を視覚的に区別しない距離である、付記１に記載の物品。
（付記３）
前記ＳＤ光学要素セット内の第１の複数の光学要素が、前記物品を記述するコンテキスト情報を表し、
前記ＤＬＤ光学要素セット内の第２の複数の光学要素が、前記コンテキスト情報を記述するコンテンツ情報を表す、付記１に記載の物品。
（付記４）
前記ＳＤ光学要素セットが、それぞれ第１の寸法である第１の複数の光学要素を含み、前記ＤＬＤ光学要素セットが、それぞれ前記第１の寸法より小さい第２の寸法である第２の複数の光学要素を含む、付記１に記載の物品。
（付記５）
前記ＳＤ及びＤＬＤ光学要素セットのそれぞれの各光学要素が、一組の符号化値のうちの１つの符号化値を表し、前記一組の符号化値が、前記それぞれの光学要素の視覚的な区別可能性に基づいて区別可能である、付記１に記載の物品。
（付記６）
それぞれの各光学要素が外観を有し、前記外観が、異なる輝度を有する勾配値の範囲内の１つの輝度を示す視覚的勾配値である、付記５に記載の物品。
（付記７）
前記ＳＤ及びＤＬＤ光学要素セットが、ＱＲコード内に含まれていない、付記１に記載の物品。
（付記８）
前記基板は、複数のファインダ光学要素を含み、前記ファインダ光学要素は、機械視覚システムが、前記画像内の前記ＳＤ及びＤＬＤ光学要素セットのうちの１つ以上の位置を特定することを可能にする、付記１に記載の物品。
（付記９）
前記物品が、交通標識、ライセンスプレート、衣服、又はデカールのうちの少なくとも１つを含む、付記１に記載の物品。
（付記１０）
前記動的に可変のデータが、速度の低下、車線の閉鎖、車線の変更、迂回、道路形状の変化、道路舗装の変化、推奨車間距離の変化、予期される道路作業員、予期されるコーン、予期される遅延、作業区間の長さ、制限される車両タイプ、及び高さ制限のうちの少なくとも１つを示すデータを含む、付記１に記載の物品。
（付記１１）
画像捕捉デバイスによって閾値距離より小さい距離において捕捉された、多次元機械可読コードを含む物品の画像を受信することであって、前記物品が基板を含み、前記基板が物理的表面を有し、前記多次元機械可読光コードが、静的データ（ＳＤ）光学要素セット及び動的ルックアップデータ（ＤＬＤ）光学要素セットを含み、各セットが前記物理的表面上で実施され、前記ＤＬＤ光学要素セットが、動的に可変のデータを参照するルックアップ値を符号化し、前記ＳＤ光学要素セットが、他のデータを参照しない静的データを符号化する、受信することと、
前記ＤＬＤ光学要素セットからの前記ルックアップ値を復号することであって、前記ＤＬＤ光学要素セットが、前記閾値距離より大きい距離において復号可能でない、復号することと、
前記ルックアップ値をリモートコンピューティングデバイスへ送信したことに応じて、前記動的に可変のデータを受信することと、
前記動的に可変のデータに少なくとも部分的に基づいて、少なくとも１つの動作を実行することと、を含む方法。
（付記１２）
前記画像が第１の画像であり、前記距離が第１の距離であり、前記方法が、
前記第１の画像が前記画像捕捉デバイスによって前記閾値距離以上の距離において捕捉される前に、第２の画像を受信することと、
他のデータを参照しない前記静的データを復号することと、
前記静的データに少なくとも部分的に基づいて、少なくとも１つの動作を実行することと、を更に含む、付記１１に記載の方法。
（付記１３）
前記ＳＤ光学要素セット内の第１の複数の光学要素が、前記物品を記述するコンテキスト情報を表し、
前記ＤＬＤ光学要素セット内の第２の複数の光学要素が、前記コンテキスト情報を記述するコンテンツ情報を表す、付記１１に記載の方法。
（付記１４）
前記ＳＤ光学要素セットが、それぞれ第１の寸法である第１の複数の光学要素を含み、前記ＤＬＤ光学要素セットが、それぞれ前記第１の寸法より小さい第２の寸法である第２の複数の光学要素を含む、付記１１に記載の方法。
（付記１５）
前記ＳＤ及びＤＬＤ光学要素セットのそれぞれの各光学要素が、一組の符号化値のうちの１つの符号化値を表し、前記一組の符号化値が、前記それぞれの光学要素の視覚的な区別可能性に基づいて区別可能である、付記１１に記載の方法。
（付記１６）
それぞれの各光学要素が外観を有し、前記外観が、異なる輝度を有する勾配値の範囲内の１つの輝度を示す視覚的勾配値である、付記１５に記載の方法。
（付記１７）
前記ＳＤ及びＤＬＤ光学要素セットが、ＱＲコード内に含まれていない、付記１１に記載の方法。
（付記１８）
前記距離閾値は、区別可能性閾値を上回ると、画像捕捉デバイスによって捕捉される前記画像の分解能が、互いに視覚的に異なる前記ＤＬＤ光学要素セットの光学要素を視覚的に区別しない距離である、付記１１に記載の方法。
（付記１９）
前記基板は、複数のファインダ光学要素を含み、前記ファインダ光学要素は、機械視覚システムが、前記画像内の前記ＳＤ及びＤＬＤ光学要素セットのうちの１つ以上の位置を特定することを可能にする、付記１１に記載の方法。
（付記２０）
前記物品が、交通標識、ライセンスプレート、衣服、又はデカールのうちの少なくとも１つを含む、付記１１に記載の方法。
（付記２１）
前記画像が第１の画像であり、前記距離が第１の距離であり、前記方法が、
前記画像内のそれぞれの光学要素セットのそれぞれの事前定義された位置を示す光学要素セット位置データに少なくとも部分的に基づいて、前記ＳＤ又はＤＬＤ光学要素セットのうちの少なくとも１つを判定することと、
前記ＳＤ又はＤＬＤ光学要素セットのうちの前記光学要素セット内のそれぞれの光学要素のそれぞれの事前定義された位置を示す光学要素位置データに少なくとも部分的に基づいて、前記ＳＤ又はＤＬＤ光学要素セットのうちの前記少なくとも１つの前記それぞれの各光学要素に対するそれぞれの勾配値を判定することと、
前記それぞれの勾配値及び符号化値間のマッピングに少なくとも部分的に基づいて、メッセージの少なくとも一部分を判定することと、を更に含む、付記１１に記載の方法。
（付記２２）
前記少なくとも１つの動作を実行することが、
出力のために警報を生成すること、
出力のために報告を生成すること、
前記メッセージを記憶すること、又は
車両の前記動作を修正することを含む、付記１１に記載の方法。
（付記２３）
前記コンピューティングデバイスが、車両内に含まれている、付記１１に記載の方法。
（付記２４）
前記動的に可変のデータが、速度の低下、車線の閉鎖、車線の変更、迂回、道路形状の変化、道路舗装の変化、推奨車間距離の変化、予期される道路作業員、予期されるコーン、予期される遅延、作業区間の長さ、制限される車両タイプ、及び高さ制限のうちの少なくとも１つを示すデータを含む、付記１に記載の方法。
（付記２５）
１つ以上のコンピュータプロセッサと、
命令を含むメモリと、を備え、前記命令は、前記１つ以上のコンピュータプロセッサによって実行されたとき、前記１つ以上のコンピュータプロセッサに、付記１１〜２４に記載の方法のうちのいずれかを実行させる、コンピューティングデバイス。
（付記２６）
実行されたとき、コンピューティングデバイスの少なくとも１つのプロセッサに、付記１１〜２４に記載の方法のうちのいずれかを実行させる命令で符号化された非一過性コンピュータ可読記憶媒体。
（付記２７）
付記１１〜２４に記載の方法のうちのいずれかを実行する手段を備える装置。
（付記２８）
基板を含む物品であって、前記基板が物理的表面を有し、多次元機械可読光コードが、静的データ（ＳＤ）光学要素セット及び動的ルックアップデータ（ＤＬＤ）光学要素セットを含み、各セットが、前記物理的表面上で実施され、前記ＤＬＤ光学要素セットが、動的に可変のデータを参照するルックアップ値を符号化し、前記ＳＤ光学要素セットが、他のデータを参照しない静的データを符号化する、物品と、
画像捕捉デバイスと、
前記画像捕捉デバイスに通信的に結合されたコンピューティングデバイスと、を備え、前記コンピューティングデバイスが、１つ以上のコンピュータプロセッサ及び命令を含むメモリを含み、前記命令は、前記１つ以上のコンピュータプロセッサによって実行されたとき、前記１つ以上のコンピュータプロセッサに、
閾値距離より大きい距離であって、前記ＤＬＤ光学要素セットが、前記閾値距離より大きい前記距離において復号可能でない、閾値距離より大きい距離において捕捉された前記多次元機械可読コードを含む前記物品の画像を受信させ、
前記ＤＬＤ光学要素セットからの前記ルックアップ値を復号させ、
前記ルックアップ値をリモートコンピューティングデバイスへ送信したことに応じて、前記動的に可変のデータを受信させ、
前記動的に可変のデータに少なくとも部分的に基づいて、少なくとも１つの動作を実行させる、システム。
（付記２９）
前記メモリは、前記１つ以上のコンピュータプロセッサによって実行されたとき、前記１つ以上のコンピュータプロセッサに、付記１１〜２４に記載の方法のうちのいずれかを実行させる命令を含む、付記２８に記載のシステム。
（付記３０）
物理的表面を含む基板を有する物品を構築する方法であって、
多次元機械可読コードを指定する印刷仕様を受信することであって、前記多次元機械可読光コードが、静的データ（ＳＤ）光学要素セット及び動的ルックアップデータ（ＤＬＤ）光学要素セットを含み、各セットが、前記物理的表面上で実施され、前記ＤＬＤ光学要素セットが、動的に可変のデータを参照するルックアップ値を符号化し、前記ＳＤ光学要素セットが、他のデータを参照しない静的データを符号化し、前記ＤＬＤ光学要素セットが、閾値距離より大きい距離において復号可能でない、受信することと、
前記印刷仕様に少なくとも部分的に基づいて、前記多次元機械可読光コードを含む前記物品を構築することと、を含む方法。
【手続補正２】
【補正対象書類名】特許請求の範囲
【補正対象項目名】全文
【補正方法】変更
【補正の内容】
【特許請求の範囲】
【請求項１】
物理的表面を含む基板と、
前記物理的表面上に具現化される多次元機械可読コードと、を備え、前記多次元機械可読光コードが、符号化された値の組において符号化された値をそれぞれ表す光学要素を有し、前記多次元機械可読光コードの前記光学要素は、静的データ（ＳＤ）光学要素の組及びルックアップデータ（ＬＤ）光学要素の組を含み、各組が前記物理的表面上で具現化され、前記ＬＤ光学要素の組は、動的に可変のデータを参照するルックアップ値を符号化し、前記ＳＤ光学要素の組は、他のデータを参照しない静的データを符号化し、前記ＬＤ光学要素の組は、閾値距離より大きい距離において復号可能でなく、前記ＳＤ光学要素の組は、前記閾値距離より大きい距離において復号可能であり、前記ＳＤ光学要素の組は、それぞれが第１の大きさである第１の複数の光学要素を含み、前記ＬＤ光学要素の組は、それぞれが前記第１の大きさより小さい第２の大きさである第２の複数の光学要素を含む、物品。
【請求項２】
前記距離閾値は、区別可能性閾値を上回ると、画像取り込み装置によって取り込まれる画像の分解能が、互いに視覚的に異なる前記ＬＤ光学要素の組の光学要素を視覚的に区別しない距離である、請求項１に記載の物品。
【請求項３】
前記ＳＤ光学要素の組のうちの前記第１の複数の光学要素が、前記物品を記述するコンテキスト情報を表し、
前記ＬＤ光学要素の組のうちの前記第２の複数の光学要素が、前記コンテキスト情報を記述するコンテンツ情報を表す、請求項１に記載の物品。
【請求項４】
前記符号化された値の組が、前記の各光学要素の視覚的区別可能性に基づいて区別可能である、請求項１に記載の物品。
【請求項５】
前記の各光学要素が、視覚的外観を有し、前記視覚的外観は、異なる輝度の程度を有する勾配値の範囲内の輝度の程度を示す視覚的勾配値を表す、請求項４に記載の物品。
【請求項６】
前記ＳＤ及びＬＤ光学要素の組が、ＱＲコード内に含まれていない、請求項１に記載の物品。
【請求項７】
画像取り込み装置によって閾値距離より小さい距離において捕捉された、多次元機械可読コードを含む物品の第１の画像を受信することであって、前記物品が基板を含み、前記基板が物理的表面を有し、前記多次元機械可読光コードが、符号化された値の組において符号化された値をそれぞれ表す光学要素を有し、前記多次元機械可読光コードは、静的データ（ＳＤ）光学要素の組及びルックアップデータ（ＬＤ）光学要素の組を含み、各組が前記物理的表面上に具現化され、前記ＬＤ光学要素の組が、動的に可変のデータを参照するルックアップ値を符号化し、前記ＳＤ光学要素の組が、他のデータを参照しない静的データを符号化し、前記ＳＤ光学要素の組は、それぞれが第１の大きさである第１の複数の光学要素を含み、前記ＬＤ光学要素の組は、それぞれが前記第１の大きさより小さい第２の大きさである第２の複数の光学要素を含む、受信することと、
前記ＬＤ光学要素の組からの前記ルックアップ値を復号することであって、前記ＬＤ光学要素の組が、前記閾値距離より大きい距離において復号可能でなく、前記ＳＤ光学要素の組が、前記閾値距離より大きい前記距離において復号可能である、復号することと、
前記ルックアップ値をリモートコンピューティングデバイスへ送信したことに応じて、前記動的に可変のデータを受信することと、
前記動的に可変のデータに少なくとも部分的に基づいて、少なくとも１つの動作を実行することと、
前記第１の画像より前に、前記閾値距離以上である第２の距離において前記画像取り込み装置によって取り込まれる前記物品の第２の画像を受信することと、
他のデータを参照しない前記静的データを復号することと、
前記静的データに少なくとも部分的に基づいて少なくとも１つの動作を実行することと、を含む方法。
【請求項８】
基板及び多次元機械可読光コードを含む物品であって、前記基板が物理的表面を有し、前記多次元機械可読光コードが、符号化された値の組において符号化された値をそれぞれ表す光学要素を有し、前記多次元機械可読光コードは、静的データ（ＳＤ）光学要素の組及びルックアップデータ（ＬＤ）光学要素の組を含み、各組が、前記物理的表面上に具現化され、前記ＬＤ光学要素の組が、動的に可変のデータを参照するルックアップ値を符号化し、前記ＳＤ光学要素の組が、他のデータを参照しない静的データを符号化し、前記ＳＤ光学要素の組が、それぞれが第１の大きさである第１の複数の光学要素を含み、前記ＬＤ光学要素の組が、それぞれが前記第１の大きさより小さい第２の大きさである第２の複数の光学要素を含む、物品と、
画像取り込み装置と、
前記画像取り込み装置に通信的に結合されたコンピューティングデバイスと、を備え、前記コンピューティングデバイスが、１つ以上のコンピュータプロセッサ及び命令を含むメモリを含み、前記命令は、前記１つ以上のコンピュータプロセッサによって実行されたとき、前記１つ以上のコンピュータプロセッサに、
閾値距離より小さい第１の距離において取り込まれる、前記多次元機械可読光コードを含む前記物品の画像を受信することであって、前記ＬＤ光学要素の組が、前記閾値距離より大きい前記距離において復号可能でなく、前記ＳＤ光学要素の組が、前記閾値距離より大きい前記距離において復号可能であり、
前記ＬＤ光学要素の組からの前記ルックアップ値を復号させ、
前記ルックアップ値をリモートコンピューティングデバイスへ送信したことに応じて、前記動的に可変のデータを受信させ、
前記動的に可変のデータに少なくとも部分的に基づいて、少なくとも１つの動作を実行させる、システム。
【請求項９】
物理的表面を含む基板を有する物品を構築する方法であって、
多次元機械可読コードを指定する印刷仕様を受信することであって、前記多次元機械可読光コードが、符号化された値の組において符号化された値をそれぞれ表す光学要素を有し、前記多次元機械可読光コードが、静的データ（ＳＤ）光学要素の組及びルックアップデータ（ＬＤ）光学要素の組を含み、各組が、前記物理的表面上に具現化され、前記ＬＤ光学要素の組が、動的に可変のデータを参照するルックアップ値を符号化し、前記ＳＤ光学要素の組が、他のデータを参照しない静的データを符号化し、前記ＬＤ光学要素の組が、閾値距離より大きい距離において復号可能でなく、前記ＳＤ光学要素の組が、前記閾値距離より大きい前記距離において復号可能であり、前記ＳＤ光学要素の組が、それぞれ第１の大きさである第１の複数の光学要素を含み、前記ＬＤ光学要素の組が、それぞれが前記第１の大きさより小さい第２の大きさである第２の複数の光学要素を含む、受信することと、
前記印刷仕様に少なくとも部分的に基づいて、前記多次元機械可読光コードを含む前記物品を構築することと、を含む方法。
【請求項１０】
前記多次元機械可読光コードが、前記ＳＤ光学要素の組及び前記ＬＤ光学要素の組の階層を有し、
前記ＳＤ光学要素の組は、それぞれが前記第１の大きさである複数の親光学要素を含み、前記ＬＤ光学要素の組は、それぞれが前記第２の大きさである複数の子光学要素を含み、
前記ＳＤ光学要素の組の各親光学要素が、それぞれ符号化された値を表し、前記各親光学要素によって表された前記符号化された値が、前記ＬＤ光学要素の組の対応する子光学要素のサブセットの累積的な視覚的外観に少なくとも部分的に基づいており、
前記ＬＤ光学要素の組の各子光学要素が、それぞれ符号化された値を表し、前記各子光学要素によって表された前記符号化された値が、前記の各子光学要素の視覚的外観に少なくとも部分的に基づいており、
前記の各子光学要素によって表された前記符号化された値が、前記閾値距離より大きい前記距離から復号可能でなく、前記の親光学要素によって表された前記符号化された値が、前記閾値距離より大きい前記距離から復号可能である、請求項１に記載の物品。
【請求項１１】
前記多次元機械可読光コードが、上縁部、前記上縁部の反対側にある底部、前記上縁部及び前記底部に結合している左縁部、及び、前記上縁部及び前記底部に結合している右縁部を有し、
前記光学要素の第１のサブセットが、メッセージを符号化し、
前記光学要素の第２のサブセットが、誤り訂正データを符号化し、
前記光学要素の第３のサブセットが、繰り返しビットを符号化し、前記光学要素の前記第３のサブセットの各光学要素が、前記光学要素の前記第１のサブセット又は前記第２のサブセットの各光学要素に対応し、前記光学要素の前記第３のサブセットの各光学要素が、前記光学要素の前記第１のサブセット又は前記第２のサブセットのそれぞれの前記対応する光学要素を含む前記多次元機械可読光コードの前記縁部の反対側にある前記多次元機械可読光コードの特定の縁部から４つの光学要素内に配置される、請求項１に記載の物品。
【請求項１２】
前記多次元機械可読光コードが、前記多次元機械可読光コードの前記上縁部、前記底部、前記左縁部、前記右縁部の少なくとも１つに沿って配置されたクロッキングパターンを形成する前記光学要素の第４のサブセットを有する、請求項１１に記載の物品。
【請求項１３】
前記多次元機械可読光コードが、ファインダパターンを形成する前記光学要素の第５のサブセットを有し、前記ファインダパターンが、複数の部分を有し、前記複数の部分の各部分が、前記光学要素の各角部に沿って配置され、少なくとも２つの光学要素を含む、請求項１２に記載の物品。
【請求項１４】
前記光学要素の前記第４のサブセット及び前記第５のサブセットにおける前記光学要素が、前記第１の大きさを有する光学要素を有する、請求項１３に記載の物品。